(57)【要約】【課題】本開示は、撮像装置の操作性を向上することを目的とする。【解決手段】本開示は、撮影の設定条件を規定する第１の数値群から、第１の数値の選択を受け付ける第１操作部１５と、前記第１の数値に対する操作群から、操作の選択を受け付ける第２操作部１４と、前記第１操作部１５を介して選択された前記第１の数値と、前記第２の操作部１４を介して選択された前記操作と、を組み合わせて設定された設定値を判別する制御部と、を備えた撮像装置である。【選択図】図２
2018180510.tif 000002
【特許請求の範囲】
【請求項１】
撮影の設定条件を規定する第１の数値群から、第１の数値の選択を受け付ける第１操作部と、
前記第１の数値に対する操作群から、操作の選択を受け付ける第２操作部と、
前記第１操作部を介して選択された前記第１の数値と、前記第２操作部を介して選択された前記操作と、を組み合わせて設定された設定値を判別する制御部と、
を備えた撮像装置。
【請求項２】
前記第１操作部は、第１のピッチで設定された、ゼロから所定値までの前記第１の数値群からの前記選択を受け付け、
前記第２操作部は、前記第１の数値に対して、プラスの数値を乗算する前記操作と、マイナスの数値を乗算する前記操作と、を含む前記操作群からの前記選択を受け付けるように構成された、請求項１記載の撮像装置。
【請求項３】
前記第１操作部は、前記第１のピッチで設定された前記第１の数値群からの前記選択を受け付けるダイヤルであり、
前記第２操作部は、前記操作群からの前記選択を受け付ける、２段切り替えレバー及び２段切り替えスイッチのいずれか一方である、請求項２記載の撮像装置。
【請求項４】
前記第１操作部は、第１のピッチで設定された前記第１の数値群からの前記選択を受け付け、
前記第２操作部は、第２のピッチで設定された第２の数値群から選択された第２の数値を、前記第１の数値に加算する前記操作、及び前記第１の数値から前記第２の数値を減算する前記操作の少なくとも一方を含む前記操作群からの前記選択を受け付けるように構成され、
前記第２のピッチは、前記第１のピッチよりも小さい、請求項１記載の撮像装置。
【請求項５】
前記第１操作部は、前記第１のピッチで設定された、マイナスの所定値からプラスの所定値までの前記第１の数値群からの前記選択を受け付けるダイヤルであり、
前記第２操作部は、前記操作群からの前記選択を受け付ける、レバー及びスイッチのいずれかである、請求項４記載の撮像装置。
【請求項６】
前記撮影の前記設定条件とは、露出補正条件である、請求項１に記載の撮像装置。
【発明の詳細な説明】
【技術分野】
【０００１】
本開示は、撮像装置に関する。
【背景技術】
【０００２】
従来、露出補正装置は単一の露出補正ダイヤルを用いて段階的に露出補正値を選択できる構成となっていた（例えば特許文献１参照）。
【先行技術文献】
【特許文献】
【０００３】
【特許文献１】特開平１０−１０２７１３号公報
【発明の概要】
【発明が解決しようとする課題】
【０００４】
本開示は、撮影の設定条件を設定する際の操作性に優れる撮像装置を提供することを目的とする。
【課題を解決するための手段】
【０００５】
本開示は、撮影の設定条件を規定する第１の数値群から、第１の数値の選択を受け付ける第１操作部と、前記第１の数値に対する操作群から、操作の選択を受け付ける第２操作部と、前記第１操作部を介して選択された前記第１の数値と、前記第２操作部を介して選択された前記操作と、を組み合わせて設定された設定値を判別する制御部と、を備えた撮像装置である。
【発明の効果】
【０００６】
本開示の撮像装置によれば、撮影の設定条件を設定する際の操作性が向上する。
【図面の簡単な説明】
【０００７】
【図１】図１は、実施の形態１にかかるデジタルカメラの構成を示すブロック図である。
【図２】図２は、実施の形態１にかかるデジタルカメラの上面を示した図である。
【図３】図３は、実施の形態１において、（ａ）露出補正装置の要部における分解斜視図と、（ｂ）ブラシと領域の拡大図とを示す図である。
【図４Ａ】図４Ａは、従来の露出補正ダイヤルによって、±３ＥＶの範囲および±５ＥＶの範囲を、１／３ＥＶ刻みで実現するポジション数を示す図である。
【図４Ｂ】図４Ｂは、実施の形態１にかかる露出補正装置によって±５ＥＶの範囲を１／３ＥＶ刻みで実現するポジション数を示す図である。
【図５】図５は、実施の形態２にかかるデジタルカメラの上面を示した図である。
【図６】図６は、実施の形態２において、（ａ）露出補正装置の要部における分解斜視図と、（ｂ）ブラシと領域の拡大図とを示す図である。
【図７】図７は、実施の形態２にかかる露出補正装置によって±５ＥＶを１／３ＥＶ刻みで実現するポジション数を示す図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明又は実質的に同一の構成に対する重複説明を省略する場合がある。これは、以下の説明が不必要に冗長になるのを避け、当業者の理解を容易にするためである。
【０００９】
（実施の形態１）
以下、図面を用いて、実施の形態１を説明する。実施の形態１では、撮像装置の一例としてデジタルカメラを挙げる。
【００１０】
［１．デジタルカメラの構成］
まず、実施の形態１に係るデジタルカメラの電気的構成例について図１を用いて説明する。図１は、デジタルカメラ１００の構成を示すブロック図である。デジタルカメラ１００は、１又は複数のレンズからなる光学系１１０により形成された被写体像を、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）撮像センサ１５０で撮像する撮像装置である。
【００１１】
ＣＭＯＳ撮像センサ１５０で生成された画像データは、画像処理部１７０で各種処理が施され、メモリカード２３０に格納される。以下、デジタルカメラ１００の構成を詳細に説明する。
【００１２】
光学系１１０は、ズームレンズ及びフォーカスレンズ等を含む。ズームレンズを光軸に沿って移動させることにより、被写体像を拡大、又は縮小できる。また、フォーカスレンズを光軸に沿って移動させることにより、被写体像のピントを調整できる。
【００１３】
レンズ駆動部１２０は、光学系１１０に含まれる各種レンズを駆動させる。レンズ駆動部１２０は、例えばズームレンズを駆動するズームモータと、フォーカスレンズを駆動するフォーカスモータとを含む。
【００１４】
絞り部１３０は、ユーザの設定に応じて、又は自動で、光の開口部の大きさを調整し、透過する光の量を調整する。
【００１５】
シャッタ部１４０は、ＣＭＯＳ撮像センサ１５０に透過させる光を遮光するための手段である。シャッタ部１４０は、光学系１１０及び絞り部１３０とともに、被写体像を示す光学情報を制御する光学系部を構成する。
【００１６】
ＣＭＯＳ撮像センサ１５０は、光学系１１０で形成された被写体像を撮像して、画像データを生成する。ＣＭＯＳ撮像センサ１５０は、カラーフィルタと、受光素子と、ＡＧＣ（Ａｕｔｏ  Ｇａｉｎ  Ｃｏｎｔｒｏｌｌｅｒ）を含む。受光素子は、光学系１１０によって集光された光学的信号を電気信号に変換し、画像情報を生成する。ＡＧＣは、受光素子から出力された電気信号を増幅する。ＣＭＯＳ撮像センサ１５０は、さらに、露光、転送、及び電子シャッタなどの各種動作を行うための駆動回路等を含む。
【００１７】
ＡＤＣ（Ａ／Ｄコンバータ：アナログ―デジタル変換器）１６０は、ＣＭＯＳ撮像センサ１５０で生成されたアナログ画像データをデジタル画像データに変換する。
【００１８】
画像処理部１７０は、ＣＭＯＳ撮像センサ１５０で生成され、変換されたデジタル画像データに対して、コントローラ２１０の制御を受け、各種処理を施す。例えば、画像処理部１７０は、ＣＭＯＳ撮像センサ１５０で生成された画像データに対して、ガンマ補正、ホワイトバランス補正、及び傷補正などの各種処理を行う。また、画像処理部１７０は、ＣＭＯＳ撮像センサ１５０で生成された画像データを、Ｈ．２６４規格又はＭＰＥＧ２規格に準拠した圧縮形式等により圧縮する。
【００１９】
画像処理部１７０は、表示モニタ２６０に表示するための画像データを生成する。また、画像処理部１７０は、メモリカード２３０に格納するための画像データを生成する。
【００２０】
画像処理部１７０は、ＤＳＰ（Ｄｉｇｉｔａｌ  Ｓｉｇｎａｌ  Ｐｒｏｃｅｓｓｏｒ）又はマイクロコントローラなどで実現可能である。また、画像処理部１７０は、ＣＭＯＳ撮像センサ１５０で生成された画像データに基づいて、画素数４０００×２０００前後の静止画及び動画の画像データ（４Ｋ動画像データ）を生成できる。
【００２１】
コントローラ２１０は、デジタルカメラ１００の全体を制御する制御手段である。コントローラ２１０は、半導体素子などで実現可能である。コントローラ２１０は、ハードウェアのみで構成されてもよいし、ハードウェアとソフトウェアとを組み合わせることにより実現されてもよい。コントローラ２１０は、マイクロコントローラ、ＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ‐Ｐｒｏｇｒａｍｍａｂｌｅ  Ｇａｔｅ  Ａｒｒａｙ）などで実現できる。
【００２２】
バッファ１８０は、画像処理部１７０及びコントローラ２１０のワークメモリとして機能する。バッファ１８０は、例えば、ＤＲＡＭ（Ｄｙｎａｍｉｃ  Ｒａｎｄｏｍ  Ａｃｃｅｓｓ  Ｍｅｍｏｒｙ）、又は強誘電体メモリなどで実現できる。
【００２３】
カードスロット２２０は、メモリカード２３０を着脱可能である。カードスロット２２０は、機械的及び電気的にメモリカード２３０と接続可能である。
【００２４】
メモリカード２３０は、フラッシュメモリ又は強誘電体メモリなどを内部に含み、画像処理部１７０で生成された画像ファイル等のデータを格納可能である。
【００２５】
内蔵メモリ２４０は、フラッシュメモリ又は強誘電体メモリなどで構成される。内蔵メモリ２４０は、デジタルカメラ１００全体を制御するための制御プログラム等を記憶している。
【００２６】
操作部材２５０は、ユーザからの操作を受け付けるユーザーインターフェースの総称である。操作部材２５０は、ボタン、ダイヤル、レバー、及びタッチパネル等の少なくともいずれか一つを含む。
【００２７】
表示モニタ２６０は、ＣＭＯＳ撮像センサ１５０で生成した画像データが示す画像（スルー画像）と、メモリカード２３０から読み出した画像データが示す画像とを表示するように構成されている。また、表示モニタ２６０は、デジタルカメラ１００の各種設定を行うための各種メニュー画面等も表示するように構成されている。表示モニタ２６０は、液晶表示デバイス、又は有機ＥＬ（Ｅｌｅｃｔｒｏ  Ｌｕｍｉｎｅｓｃｅｎｃｅ）表示デバイスで構成される。
【００２８】
［２．デジタルカメラの外観構成］
図２は、デジタルカメラ１００の上面を示した図である。デジタルカメラ１００は、レンズとボディが一体型のデジタルカメラである。操作部材２５０は、前述のとおり、ボタン、レバー、ダイヤル、又はタッチパネル等の、ユーザによる操作を受け付ける部材を含む。例えば、操作部材２５０は、撮影に関する各種設定を行うためのユーザの操作を受け付ける。図２に示すように、操作部材２５０は、絞りリング１２、シャッタースピードダイヤル１３、露出補正レバー１４、露出補正ダイヤル１５、及びシャッターボタン１６等を含む。露出補正レバー１４は、２つのレバー位置１４ａ，１４ｂ間を移動するように構成されている。シャッターボタン１６は、ユーザが撮影を指示する際に操作される。操作部材２５０は、ユーザによる操作を受け付けると、コントローラ２１０に種々の指示信号を送信する。
【００２９】
ここで、シャッタースピードダイヤル１３と絞りリング１２との設定によって、露出補正条件を設定できる。例えば、シャッタースピードダイヤル１３がＡ（ＡＵＴＯ）に、絞りリング１２がＡ（ＡＵＴＯ）に設定されると、プログラムＡＥ（Ａｕｔｏ  Ｅｘｐｏｓｕｒｅ）モードが選択される。このモードでは、被写体の明るさに応じて、絞り値とシャッタースピードとを、カメラが自動的に設定する。一方で、シャッタースピードダイヤル１３がユーザのお好みの設定値に、絞りリング１２がユーザのお好みの設定値に設定されると、マニュアル露出モードが選択される。
【００３０】
シャッターボタン１６は、二段押下式の押下ボタンである。シャッターボタン１６がユーザにより半押し操作されると、コントローラ２１０はオートフォーカス制御（ＡＦ制御）及びオート露出制御（ＡＥ制御）などを実行する。また、シャッターボタン１６がユーザにより全押し操作されると、コントローラ２１０は、押下操作のタイミングに撮像された画像データを、記録画像としてメモリカード２３０等に記録する。
【００３１】
露出補正レバー１４および露出補正ダイヤル１５は、逆光時又は明るすぎる場合などに、露出を補正するために使用される。露出補正レバー１４および露出補正ダイヤル１５を用いて、−５ＥＶ〜＋５ＥＶの範囲で露出補正値を選択できる。
【００３２】
［３．露出補正装置の構成］
図４Ａは、従来の露出補正ダイヤルによって、±３ＥＶの範囲および±５ＥＶの範囲を、１／３ＥＶ刻みで実現するポジション数を示す図である。従来の一般的なデジカメの露出補正ダイヤルは、＋３ＥＶから−３ＥＶの範囲を、１／３ＥＶ刻みで区分けした、１９個のポジションを有する。つまり、従来の露出補正ダイヤルは、１／３ＥＶのピッチで設定された、＋３ＥＶから−３ＥＶまでの１９個の数値からの選択を受け付ける。しかし、近年デジタルカメラの性能の向上に伴い、露出補正値として設定できる範囲が、＋５ＥＶ〜−５ＥＶまで拡張されている。したがって、近年の露出補正値のポジション数は、図４Ａの最下段に示すように、１／３ＥＶのピッチの場合、３１個である。
【００３３】
３１個のポジションを、そのまま円形のダイヤルに割り当てる場合、例えばダイヤルには、各ポジション間の中心角が１０°となるように、３６ポジションの目盛りが設けられる。そして、３６ポジションの内の３１ポジションが、１／３ＥＶ刻みで割り当てられた、それぞれの露出補正値に対応する。
【００３４】
ここで、上記のダイヤル径が、例えば、φ１６．９ｍｍである場合、１ポジション当たりの接線方向の移動量は約２．２ｍｍから１．４７ｍｍとなり、ピッチが狭い。このピッチとは、ダイヤルを回転させるときのクリックの間隔である。そのため、ユーザが任意のポジションでダイヤルの回転を止めたいときに、通り過ぎてしまう場合があるなど、操作性に課題がある。
【００３５】
また、ポジションの増加に伴い、内部の接点数も大幅に増加するため、切替抵抗などの部品点数が増加する。また、接点数の増加により、パターンが微細化し、製造が難しくなる。
【００３６】
そこで、実施の形態１では、図３に示すように、２つの操作部を含む露出補正装置を用いることで、上記課題を解決している。２つの操作部とは、具体的には、露出補正レバー１４および露出補正ダイヤル１５である。露出補正装置は、これらの操作部を用いて、所望の露出補正値の設定を受け付けるように構成されている。
【００３７】
以下に、実施の形態１に係る露出補正装置の構成について、図３を用いて説明する。図３は、（ａ）露出補正装置の要部における分解斜視図と、ブラシと領域の拡大図とを示す図である。露出補正装置は、ＦＰＣ３６（Ｆｌｅｘｉｂｌｅ  Ｐｒｉｎｔｅｄ  Ｃｉｒｃｕｉｔ；フレキシブル基板）と、露出補正ダイヤル１５と、露出補正レバー１４と、を含む。ＦＰＣ３６は、デジタルカメラ１００の内部に配置されている。露出補正ダイヤル１５の少なくとも一部と、露出補正レバー１４の少なくとも一部とは、ユーザの操作を受け付けるために、デジタルカメラ１００の外部に露呈する。露出補正ダイヤル１５は、本開示の第１操作部に相当する。露出補正レバー１４は、本開示の第２操作部に相当する。
【００３８】
図３の（ａ）に示すように、露出補正ダイヤル１５の上面には、絶対値が０〜５ＥＶの範囲を１／３ＥＶずつ刻む、露出補正値の目盛りが配置されている。つまり、実施の形態１の露出補正値の目盛りのポジション数は、図４Ｂに示すように、１６個である。また露出補正ダイヤル１５の近傍には、基準位置を示す印１５Ａが配置されている。ユーザは、露出補正ダイヤル１５の所望の目盛りを印１５Ａに対向させるように、露出補正ダイヤル１５を回転させる。これによりユーザは、露出補正ダイヤル１５を用いて、所望の目盛りに相当する数値を選択できる。
【００３９】
露出補正ダイヤル１５の下面には、金属などの導電性部材からなる基部３３が配置されている。また、基部３３には、２つのブラシ３４，３５が固定されている。ブラシ３４，３５は、露出補正ダイヤル１５の半径方向に沿って並べられている。ブラシ３４，３５も、金属などの導電性材料で構成される。ブラシ３４，３５は、露出補正ダイヤル１５の回転とともに、露出補正ダイヤル１５と一体となってデジタルカメラ１００の内部で回転する。
【００４０】
また、図３の（ｂ）に示すように、ブラシ３４は２本の足を有し、ＦＰＣ３６に設けられた領域Ａ１〜Ａ１６の何れか一つの領域に導通される。さらに、ブラシ３５は２本の足を有し、ＦＰＣ３６に設けられたグランド領域Ｇ２に導通される。領域Ａ１〜Ａ１６の夫々には、コントローラ２１０に至る配線が配置されている。これらの配線の夫々は、異なる内部抵抗を有している。したがって、露出補正ダイヤル１５が回転すると、ブラシ３４が位置する領域Ａ１〜Ａ１６に応じた、互いに異なる電圧が、コントローラ２１０に出力される。コントローラ２１０は、露出補正ダイヤル１５から出力された信号を基に、露出補正ダイヤル１５のどの目盛りが印１５Ａに合わされたのかを判断する。
【００４１】
実施の形態１では、露出補正ダイヤル１５のダイヤル径がφ１６．９ｍｍの場合であって、露出補正ダイヤル１５のポジション数を１６とする場合に、露出補正ダイヤル１５の目盛りを１ポジション変えるのに必要な、クリックの回転ピッチは１８°、接線方向の移動量は２．６５ｍｍとなる。
【００４２】
また露出補正レバー１４は、ユーザの操作により、レバー位置１４ａ，１４ｂに位置を切り替えられる。レバー位置１４ａは、デジタルカメラ１００の表面において、プラス（＋）と表示される。レバー位置１４ｂは、デジタルカメラ１００の表面において、マイナス（−）と表示される。
【００４３】
露出補正レバー１４の下面には、金属などの導電性材料からなる基部３０が配置されている。基部３０には、２つのブラシ３１，３２が固定されている。ブラシ３１は、２本の足を有し、ＦＰＣ３６に設けられたグランド領域Ｇ１及び領域Ａ１の何れかの領域に導通される。ブラシ３２は、２本の足を有し、ＦＰＣ３６に設けられたグランド領域Ｇ１に導通される。グランド領域Ｇ１及び領域Ａ１には、コントローラ２１０に至る配線が配置されている。これらの配線は、互いに異なる内部抵抗を有している。
【００４４】
ブラシ３１，３２は、露出補正レバー１４が操作されると、露出補正レバー１４の移動に伴い、デジタルカメラ１００の内部で移動する。したがって、露出補正レバー１４が操作されると、ブラシ３１が位置するグランド領域Ｇ１及び領域Ａ１のいずれかに応じて、互いに異なる電圧がコントローラ２１０に出力される。
【００４５】
［４．動作］
ユーザは、露出補正値を設定したい場合、露出補正ダイヤル１５及び露出補正レバー１４を所望の位置に設定する。
【００４６】
コントローラ２１０は、露出補正ダイヤル１５から出力された信号を基に、露出補正ダイヤル１５に配置される１６ポジションの目盛りのうち、どの目盛りが印１５Ａに合わされたのかを判断する。つまり、コントローラ２１０は、図４Ｂの表の下段に示す１６ポジションのうち、いずれのポジションが設定されたかを判断する。
【００４７】
また、コントローラ２１０は、露出補正レバー１４から出力された信号を基に、露出補正レバー１４が、プラスとマイナスのいずれを示す位置にあるかを判断する。
【００４８】
露出補正レバー１４がプラスの位置にある場合、コントローラ２１０は、露出補正ダイヤル１５で選択された数値に、プラス１を乗算する。一方で、露出補正レバー１４がマイナスの位置にある場合、コントローラ２１０は、露出補正ダイヤル１５で選択された数値に、マイナス１を乗算する。つまり、コントローラ２１０は、露出補正ダイヤル１５で選択された数値に対し、露出補正レバー１４で選択された操作を実行し、露出補正値を算出する。露出補正値は、本開示の設定値に相当する。コントローラ２１０は、算出された露出補正値を基に、絞りとシャッタ速度とを制御する。
【００４９】
［５．効果等］
以上より、実施の形態１のデジタルカメラ１００（撮像装置の一例）は、露出補正ダイヤル１５（第１操作部の一例）と、露出補正レバー１４（第２操作部の一例）と、コントローラ２１０（制御部の一例）と、を備える。露出補正ダイヤル１５は、露出補正条件（撮影の設定条件の一例）を規定する第１の数値群から、第１の数値の選択を受け付ける。露出補正レバー１４は、第１の数値に対する操作群から、操作の選択を受け付ける。コントローラ２１０は、露出補正ダイヤル１５を介して選択された第１の数値と、露出補正レバー１４を介して選択された操作と、を組み合わせて設定された露出補正値（設定値の一例）を判別する。
【００５０】
これにより、実施の形態１では、２つの操作部（つまり、第１操作部と第２操作部）を用いることで、撮影の設定条件を所望の設定値に設定できる。たとえば−５ＥＶ〜＋５ＥＶの範囲で露出補正値を設定する場合、従来は、図４Ａの最下段に示すように、一つの操作部に３１ポジションの目盛りが必要であるのに対し、実施の形態１では、図４Ｂに示すように、１６ポジションの目盛りでよい。したがって、単一の操作部を用いて設定する場合に比べて、設定できる数値の範囲が広がっても、操作部のピッチを広げることができる。その結果、操作性を向上できる。また、ダイヤルを小さくできる場合は、小型軽量化を実現できる。
【００５１】
また、実施の形態１では、第１の数値群とは、第１のピッチで設定された、絶対値がゼロから所定値までの数値群である。具体的には、第１の数値群とは、絶対値が０〜５ＥＶの範囲で、絶対値で１／３ＥＶずつ刻まれた、数値群である。１／３ＥＶは、本開示の第１のピッチに相当する。また、実施の形態１における「第１の数値に対する操作群」とは、露出補正ダイヤル１５で設定された数値に対して、プラスの数値を乗算する操作と、マイナスの数値を乗算する操作と、を含む。なお、プラスの数値を除算する操作は、プラスの数値を乗算する操作に含むものとする。さらに、マイナスの数値を除算する操作は、マイナスの数値を除算する操作を含むものとする。
【００５２】
これにより、例えば、ユーザは、画像を明るくするように露出を補正したい場合は、露出補正レバー１４を操作して、レバー位置１４ａをプラスとする。そして、ユーザが、露出補正ダイヤル１５で所望の絶対値を設定すれば、プラスの露出補正値を設定できる。したがって、選択できる露出補正値の範囲が広がっても、クリックのピッチを広げることができ、操作性を向上できる。
【００５３】
なお、実施の形態１では、第１の数値に乗算されるプラスの数値とは、プラス１であり、マイナスの数値とは、マイナス１としたが、適宜変更されてもよい。また、第１の数値群は、絶対値がゼロから所定値までの数値群としたが、ゼロからプラスの所定値までの数値群であってもよく、ゼロからマイナスの所定値までの数値群であってもよい。
【００５４】
また、実施の形態１の露出補正レバー１４は、プラスの位置とマイナスの位置とのいずれかに位置を切り替えする、２段階切り替えレバーである。露出補正レバー１４に代えて、２段階切り替えスイッチを用いてもよい。これらのレバー又はスイッチにより、ユーザの操作性を向上できる。
【００５５】
（実施の形態２）
［１．デジタルカメラの構成］
実施の形態２に係るデジタルカメラの電気的構成例については、実施の形態１と同じであるので、その説明を省略する。
【００５６】
［２．デジタルカメラの外観構成］
図５は、実施の形態２のデジタルカメラ２００の上面を示した図である。デジタルカメラ２００は、レンズとボディが一体型のデジタルカメラであるである。以下、実施の形態１と異なる部分を中心に説明する。実施の形態２の露出補正装置は、露出補正レバー５１と、露出補正ダイヤル５２とを含む。露出補正ダイヤル５２は、本開示の第１操作部に相当する。露出補正レバー５１は、本開示の第２操作部に相当する。露出補正レバー５１は、３つのレバー位置５１ａ，５１ｂ，５１ｃを有する。
【００５７】
露出補正レバー５１および露出補正ダイヤル５２は、逆光時又は撮影環境が明るすぎる場合などに、露出を補正するために使用される。露出補正レバー５１および露出補正ダイヤル５２を用いて、−５ＥＶ〜＋５ＥＶの範囲で露出補正値を選択できる。
【００５８】
［３．露出補正装置の構成］
以下に実施の形態２に係る露出補正装置について、図６を用いて説明する。図６は、（ａ）露出補正装置の要部における分解斜視図と、（ｂ）ブラシと領域の拡大図と、を含む図である。露出補正装置は、ＦＰＣ６６と、露出補正ダイヤル５２と、露出補正レバー５１と、を含む。ＦＰＣ６６は、デジタルカメラの内部に配置されている。露出補正ダイヤル５２の少なくとも一部と、露出補正レバー５１の少なくとも一部とは、ユーザの操作を受け付けるために、デジタルカメラの外部に露呈するように配置されている。
【００５９】
図６の（ａ）に示すように、露出補正ダイヤル５２の上面には、−５〜＋５ＥＶの範囲を、１ＥＶずつ刻む露出補正値の目盛りが配置されている。つまり、露出補正目盛りのポジション数は、図７に示すように、１１個である。また露出補正ダイヤル５２の近傍には、基準位置を示す印５２Ａが配置されている。ユーザは、露出補正ダイヤル５２の所望の目盛りを印５２Ａに対向させるように、露出補正ダイヤル５２を回転させる。これによりユーザは、露出補正ダイヤル５２を用いて、所望の目盛りに相当する数値を選択できる。
【００６０】
露出補正ダイヤル５２の下面には、金属などの導電性部材からなる基部６３が配置されている。また、基部６３には、２つのブラシ６４，６５が固定されている。これらのブラシ６４，６５は、露出補正ダイヤル５２の半径方向に沿って並べられている。ブラシ６４，６５も、金属などの導電性材料で構成される。ブラシ６４，６５は、露出補正ダイヤル５２の回転とともに、露出補正ダイヤル５２と一体となってデジタルカメラの内部で回転する。
【００６１】
また、図６の（ｂ）に示すように、ブラシ６４は２本の足を有し、ＦＰＣ６６に設けられた領域Ａ１〜Ａ１１の何れか一つの領域に導通される。ブラシ６５は２本の足を有し、ＦＰＣ６６に設けられたグランド領域Ｇ２に導通される。領域Ａ１〜Ａ１１の夫々には、コントローラ２１０に至る配線が配置されている。これらの配線の夫々は、異なる内部抵抗を有している。したがって、露出補正ダイヤル５２が回転すると、ブラシ６４が位置する領域Ａ１〜Ａ１１に応じた、異なる電圧が、コントローラ２１０に出力される。コントローラ２１０は、露出補正ダイヤル５２から出力された信号を基に、露出補正ダイヤル５２のどの目盛りが印５２Ａに合わされたのかを判断する。
【００６２】
実施の形態２では、露出補正ダイヤル５２のダイヤル径がφ１６．９ｍｍの場合であって、露出補正ダイヤル５２のポジション数を１１とする場合に、露出補正ダイヤル５２の１ポジション変えるのに必要な、クリックの回転ピッチは３０°、接線方向の移動量は、４．４２ｍｍとなる。
【００６３】
また露出補正レバー５１は、ユーザの操作により、レバー位置５１ａ，５１ｂ，５１ｃに位置を切り替えられる。レバー位置５１ａは、デジタルカメラの表面において、＋１／３と表示される。レバー位置５１ｂは、デジタルカメラの表面において、０と表示される。レバー位置５１ｃは、デジタルカメラの表面において、−１／３と表示される。
【００６４】
露出補正レバー５１の下面には、金属などの導電性材料からなる基部６０が配置されている。基部６０には、２つのブラシ６１，６２が固定されている。ブラシ６１は、２本の足を有し、ＦＰＣ６６に設けられたグランド領域Ｇ１と、領域Ａ１と、領域Ａ２の何れか一つの領域に導通される。また、ブラシ６２は２本の足を有し、ＦＰＣ６６に設けられたグランド領域Ｇ１に導通される。グランド領域Ｇ１と領域Ａ１と領域Ａ２には、それぞれコントローラ２１０に至る配線が配置されている。これらの配線は、異なる内部抵抗を有する。
【００６５】
ブラシ６１，６２は、露出補正レバー５１が操作されると、露出補正レバー５１の移動に伴い、デジタルカメラ２００の内部で移動する。したがって、露出補正レバー５１が操作されると、ブラシ６１が位置する領域Ｇ１、領域Ａ１、及び領域Ａ２のいずれか一つに応じて、互いに異なる電圧がコントローラ２１０に出力される。
【００６６】
［４．動作］
ユーザは、露出補正値を設定したい場合、露出補正ダイヤル５２及び露出補正レバー５１を所望の位置に設定する。
【００６７】
コントローラ２１０は、露出補正ダイヤル５２から出力された信号を基に、露出補正ダイヤル５２に配置される１１ポジションの目盛りのうち、どの目盛りが印５２Ａに合わされたのかを判断する。つまり、コントローラ２１０は、図７の表の下段に示す１１ポジションのうち、いずれのポジションが設定されたかを判断する。
【００６８】
また、コントローラ２１０は、露出補正レバー５１から出力された信号を基に、露出補正レバー５１が、＋１／３、０、＋１／３のいずれを示す位置にあるかを判断する。
【００６９】
露出補正レバー５１が＋１／３の位置にある場合、コントローラ２１０は、露出補正ダイヤル５２で選択された数値に、１／３ＥＶを加算する。一方で、露出補正レバー５１が０の位置にある場合、コントローラ２１０は、露出補正ダイヤル５２で選択された数値をそのまま維持する。さらに、露出補正レバー５１が−１／３ＥＶの位置にある場合、コントローラ２１０は、露出補正ダイヤル５２で選択された数値から、１／３ＥＶを減算する。または、露出補正レバー５１が−１／３ＥＶの位置にある場合、コントローラ２１０は、露出補正ダイヤル５２で選択された数値に、−１／３ＥＶを加算する。つまり、コントローラ２１０は、露出補正ダイヤル５２で選択された数値に対し、露出補正レバー５１の位置に対応付けられた操作を実行し、露出補正値を算出する。露出補正値は、本開示の第２の数値に相当する。コントローラ２１０は、算出された露出補正値を基に、絞りとシャッタ速度とを制御する。
【００７０】
［５．効果等］
以上より、実施の形態２のデジタルカメラ（撮像装置の一例）は、露出補正ダイヤル５２（第１操作部の一例）と、露出補正レバー５１（第２操作部の一例）と、コントローラ２１０（制御部の一例）と、を備える。露出補正ダイヤル５２は、露出補正条件（撮影の設定条件の一例）を規定する第１の数値群から、第１の数値の選択を受け付ける。露出補正レバー５１は、第１の数値に対する操作群から、操作の選択を受け付ける。コントローラ２１０は、露出補正ダイヤル５２を介して選択された第１の数値と、露出補正レバー５１を介して選択された操作と、を組み合わせて設定された露出補正値（設定値の一例）を判別する。
【００７１】
これにより実施の形態２においても、設定できる撮影の設定条件の範囲が広がっても、露出補正ダイヤル５２のクリックのピッチを広げることができ、操作性を向上できる。たとえば−５ＥＶ〜＋５ＥＶの範囲で露出補正値を設定する場合、従来は、図４Ａの最下段に示すように、一つの操作部に３１ポジションの目盛りが必要であるのに対し、実施の形態２では、図７に示すように、１１ポジションのメモリでよい。したがって、単一の操作部を用いて設定する場合に比べて、設定できる数値の範囲が広がっても、操作部のピッチを広げることができる。その結果、操作性を向上できる。また、ダイヤルを小さくできる場合は、小型軽量化を実現できる。
【００７２】
また、実施の形態２において、露出補正ダイヤル５２は、第１のピッチで設定された第１の数値群からの選択を受け付ける。第１の数値群とは、実施の形態２の場合、−５ＥＶ〜＋５ＥＶの範囲で、１ＥＶずつ刻まれた、数値群である。１ＥＶは、本開示の第１のピッチの一例である。さらに、露出補正レバー５１は、第２のピッチで設定された第２の数値群から選択された第２の数値を、第１の数値に加算する操作、及び第１の数値から第２の数値を減算する操作の少なくとも一方を含む操作群からの選択を受け付けるように構成されている。第２のピッチは、第１のピッチよりも小さい値である。たとえば実施の形態２では、第２のピッチは１／３ＥＶである。また、第２の数値群とは、たとえば−１／３、０、＋１／３である。
【００７３】
これにより、実施の形態２では、例えば、ユーザは、画像を明るくするように露出を補正したい場合は、露出補正ダイヤル５２を操作して、１ＥＶ刻みで露出補正値を選択する。さらにユーザは、露出補正レバーで、１／３ＥＶ刻みで露出補正値を調整できる。したがって、選択できる露出補正値の範囲が広がっても、露出補正ダイヤル５２のクリックのピッチを広げることができ、操作性を向上できる。
【００７４】
実施の形態２では、露出補正レバー５１に代えて、１／３ＥＶ刻みのスイッチが用いられてもよい。レバー又はスイッチを用いることにより、操作性が向上する。
【００７５】
（他の実施の形態）
以上のように、本出願において開示する技術の例示として、実施の形態１，２を説明した。しかしながら、本開示における技術は、これに限定されず、適宜、変更、置き換え、付加、又は省略などを行った実施の形態にも適用可能である。また、上記実施の形態１，２で説明した各構成要素を組み合わせて、新たな実施の形態とすることも可能である。
【００７６】
上記の実施の形態では、本開示の撮像装置をレンズとボディが一体型のデジタルカメラ１００，２００に適用した例を説明したが、本開示の撮像装置を交換レンズ式のデジタルカメラに適用することもできる。
【００７７】
上記の実施の形態１では、第２操作部（露出補正レバー１４）は、＋又は−の数値の乗算を設定するための、２段切り替え可能なレバーで構成されているが、＋又は−の数値の乗算を設定するための、２段切り替えスイッチで構成されてもよい。さらに、第２操作部は、単純なスイッチで構成されてもよい。この場合は、スイッチを押下するごとに＋及び−の数値の乗算を切り替えるスイッチであってもよい。
【００７８】
同様に、実施の形態２では、第２操作部は、第１の数値に対し、所定のピッチで加算する操作及び減算する操作の少なくとも一方の操作の設定を受け付けるレバーまたはスイッチであるとしたが、単純なスイッチで構成されてもよい。この場合、スイッチは、押下されるごとに、第１の数値に対して、所定のピッチで加算又は減算する操作の選択を受け付ける構成であってもよい。
【００７９】
また、上記の実施の形態１，２では、第１操作部は、ダイヤルとしたが、レバー又はスイッチなどの他の構成が採用されてもよい。
【００８０】
さらに、上記の実施の形態１，２では、撮影の設定条件とは、露出補正の設定としたが、ＩＳＯ感度、ホワイトバランス、及びシャッタ速度などの種々の設定条件であってもよい。
【産業上の利用可能性】
【００８１】
本開示の撮像装置は、２つの操作部を用いることで所望の数値を設定可能な撮像装置（ビデオカメラ、ムービー、スマートフォン、カメラを搭載した電子端末等）に適用できる。
【符号の説明】
【００８２】
１２    絞りリング
１３    シャッタースピードダイヤル
１４，５１    露出補正レバー（第２操作部）
１４ａ，１４ｂ    レバー位置
１５，５２    露出補正ダイヤル（第１操作部）
１５Ａ，５２Ａ    印
１６    シャッターボタン
３０，３３，６０，６３    基部
３１，３２，３４，３５，６１，６２，６４，６５    ブラシ
３６，６６    ＦＰＣ
５１ａ，５１ｂ，５１ｃ    レバー位置
１００，２００    デジタルカメラ（撮像装置）
１１０    光学系
１２０    レンズ駆動部
１３０    絞り部
１４０    シャッタ部
１５０    ＣＭＯＳ撮像センサ
１６０    ＡＤＣ
１７０    画像処理部
１８０    バッファ
２１０    コントローラ（制御部）
２２０    カードスロット
２３０    メモリカード
２４０    内蔵メモリ
２５０    操作部材
２６０    表示モニタ
【図１】
2018180510.tif 000003
【図２】
2018180510.tif 000004
【図３】
2018180510.tif 000005
【図４Ａ】
2018180510.tif 000006
【図４Ｂ】
2018180510.tif 000007
【図５】
2018180510.tif 000008
【図６】
2018180510.tif 000009
【図７】
2018180510.tif 000010